(57)【要約】【課題】悪戯によって引っ掻いても、尿吸収シートの破れや犬の爪自体が傷付けられることを防止できる犬用トイレを提供すること。【解決手段】犬用トイレＤ１は、尿吸収シート１と、尿吸収シート１の上面側をカバーする格子状の網目２２を有した網状シート２０と、を備えて構成される。網状シート２０は、網状シート２０の上面側からの引っ掻き時における犬の爪の格子２１への引っ掛りと犬の爪による尿吸収シート１の破れとを防止可能で、かつ、尿の通過を確保できるように、硬質合成樹脂製の一体成形品とするとともに、格子２１の棒部分２１ａの断面における上面側を、上方側へ凸状となる曲面状とし、さらに、網目２２を形成する格子２１の厚さ寸法Ｔ、格子２１の棒部分２１ａの幅寸法Ｂ、及び、格子２１の開口寸法Ｌを、所定寸法に設定して、構成されている。【選択図】図７
2005287367.tif 000002
【特許請求の範囲】
【請求項１】
尿吸収シートと、該尿吸収シートの上面側をカバーする格子状の網目を有した網状シートと、を備えて構成される犬用トイレであって、
前記網状シートが、
前記網状シートの上面側からの引っ掻き時における犬の爪の前記格子への引っ掛りと犬の爪による前記尿吸収シートの破れとを防止可能で、かつ、尿の通過を確保できるように、
硬質合成樹脂製の一体成形品とするとともに、格子の棒部分の断面における上面側を、上方側へ凸状となる曲面状とし、さらに、網目を形成する格子の厚さ寸法、格子の棒部分の幅寸法、及び、格子の棒部分間の開口寸法を、設定していることを特徴とする犬用トイレ。
【請求項２】
前記網状シートの網目を形成する格子の厚さ寸法が１〜８ｍｍ、格子の棒部分の幅寸法が１〜４ｍｍ、及び、格子の棒部分間の開口における一辺の長さ寸法が５〜２０ｍｍ、の範囲内に設定されていることを特徴とする請求項１に記載の犬用トイレ。
【請求項３】
前記尿吸収シートを上面側で支持する支持基盤と、
前記支持基盤の外周縁側に組付可能として、前記尿吸収シートと前記網状シートとの外周縁を前記支持基盤に取付可能な枠体と、
を備えて構成されていることを特徴とする請求項１若しくは請求項２に記載の犬用トイレ。
【請求項４】
前記尿吸収シートを上面側で支持する支持基盤を備えるとともに、
前記網状シートが、前記支持基盤の外周縁側に組付可能として、前記尿吸収シートの外周縁を前記支持基盤に取付可能な枠部、を外周縁に備えて構成されていることを特徴とする請求項１若しくは請求項２に記載の犬用トイレ。
【請求項５】
前記網状シートが、外周縁に、前記尿吸収シートの外周縁を保持可能な枠部を備えて構成されていることを特徴とする請求項１若しくは請求項２に記載の犬用トイレ。
【発明の詳細な説明】
【技術分野】
【０００１】
本発明は、尿吸収シートと、尿吸収シートの上面側をカバーする格子状の網目を有した網状シートと、を備えて構成される略受け皿形状の犬用トイレに関する。
【背景技術】
【０００２】
従来、犬用トイレでは、受け皿の上に尿吸収シートが配設され、さらに、その尿吸収シートの上に、尿を透過可能な保護カバーを設けたものがあった（例えば、特許文献１参照）。
【０００３】
さらに、保護カバーを格子状の網目にしたものもあった（例えば、特許文献２参照）。
【特許文献１】特開２００３−１５３６３９公報
【特許文献２】特開２００３−２３５３８９公報
【発明の開示】
【発明が解決しようとする課題】
【０００４】
しかし、従来の犬用トイレでは、犬の悪戯により、保護カバーを引っ掻いて、尿吸収シートが破れたり、あるいは、犬の爪自体が傷付けられてしまう場合があった。そして、尿吸収シートが破れれば、綿状の尿吸収材が露出し、それを犬が食べてしまえば、甚だしい場合、犬を切開手術して、尿吸収材を取り出す事態も招いてしまう。
【０００５】
本発明は、上述の課題を解決するものであり、悪戯によって引っ掻いても、尿吸収シートの破れや犬の爪自体が傷付けられることを防止できる犬用トイレを提供することを目的とする。
【課題を解決するための手段】
【０００６】
本発明に係る犬用トイレは、尿吸収シートと、尿吸収シートの上面側をカバーする格子状の網目を有した網状シートと、を備えて構成される犬用トイレであって、
網状シートが、
網状シートの上面側からの引っ掻き時における犬の爪の格子への引っ掛りと犬の爪による尿吸収シートの破れとを防止可能で、かつ、尿の通過を確保できるように、
硬質合成樹脂製の一体成形品とするとともに、格子の棒部分の断面における上面側を、上方側へ凸状となる曲面状とし、さらに、網目を形成する格子の厚さ寸法、格子の棒部分の幅寸法、及び、格子の棒部分間の開口寸法を、設定していることを特徴とする。
【０００７】
本発明に係る犬用トイレでは、尿吸収シートの上面側を覆う網状シートが、網状シートの上面側からの引っ掻き時における犬の爪の格子への引っ掛りと犬の爪による尿吸収シートの破れとを防止可能で、かつ、尿の通過を確保できるように、網目を形成する格子の厚さ寸法、格子の棒部分の幅寸法、及び、格子の棒部分間の開口寸法が、設定されていることから、犬が悪戯によって、網状シートを引っ掻いても、尿吸収シートの破れや犬の爪自体が傷付けられることを防止できる。
【０００８】
さらに、網状シートが、硬質合成樹脂製の一体成形品としていることから、犬が網状シートを引っ掻いても、格子の棒部分が伸びず、かつ、格子の棒部分の断面における上面側を、上方側へ凸状とする曲面状としており、犬の爪が滑って引っ掛かり難く、爪自体が傷付けられることも防止できる。勿論、格子の棒部分の断面における上面側が、上方側へ凸状となる曲面状としていることから、尿を円滑に流下させることもできる。
【０００９】
なお、硬質合成樹脂としては、通常の硬質の合成樹脂を使用でき、硬度（JISK7202Ｒスケール）で、８５〜１２０程度、曲げ弾性率（JISK7203）で、１０００〜４５００ＭＰａ程度の汎用のポリプロピレン、ポリアミド、ポリエチレン等が例示できる。
【００１０】
そして、具体的には、網状シートの網目を形成する格子の厚さ寸法は、１〜８ｍｍ、望ましくは、３〜６ｍｍ、格子の棒部分の幅寸法は、１〜４ｍｍ、望ましくは、２〜３ｍｍ、及び、格子の棒部分間の開口における一辺の長さ寸法は、５〜２０ｍｍ、望ましくは、６〜１５ｍｍ、の範囲内に設定することが望ましい。
【００１１】
網状シートの網目を形成する格子の厚さ寸法が、１ｍｍ未満であれば、格子の棒部分間の開口が大きめの場合に、小型犬の爪の先端が、尿吸収シートに接触してずれ移動可能となることから、尿吸収シートを破ってしまう虞れを生じ、かつ、尿吸収シートで吸収した尿が、滲み出ていれば、網状シート上に座っている犬に、尿が付着する虞れが生ずる。また、格子の厚さ寸法が、８ｍｍを越えれば、格子の棒部分間の開口が小さ目の場合、犬の糞が格子の棒部分間に入り込んだ際、簡単に取り除けない虞れを生ずる。
【００１２】
さらに、格子の棒部分の幅寸法が、１ｍｍ未満であれば、格子の棒部分間の開口が大きめの場合、格子の棒部分が切断されてしまう虞れが生ずる。また、格子の棒部分の幅寸法が、４ｍｍを越えれば、格子の開口が小さ目の場合、尿の通過が円滑に行われない。
【００１３】
さらに、格子の棒部分間の開口における一辺の長さ寸法が、５ｍｍ未満であれば、尿の通過が円滑に行われ難く、かつ、格子の厚さ寸法が厚ければ、犬の糞が格子の棒部分間に入り込んだ際、簡単に取り除けない虞れを生ずる。また、格子の棒部分間の開口における一辺の長さ寸法が、２０ｍｍを越えれば、格子の厚さ寸法が薄い場合、小型犬の爪の先端が、尿吸収シートに接触してずれ移動可能となることから、尿吸収シートを破ってしまう虞れが生じ、かつ、尿吸収シートで吸収した尿が、滲み出ていれば、網状シート上に座っている犬に、尿が付着する虞れが生ずる。
【００１４】
そして、犬用トイレとしては、尿吸収シートを上面側で支持する支持基盤と、支持基盤の外周縁側に組付可能として、尿吸収シートと網状シートとの外周縁を支持基盤に取付可能な枠体と、を設けて構成してもよい。
【００１５】
このような構成の犬用トイレでは、枠体を外せば、尿吸収シートと網状シートとを、支持基盤上から取り出すことができて、容易に、尿吸収シートの取り替えと網状シートの洗浄とを行うことができる。
【００１６】
また、犬用トイレとしては、尿吸収シートを上面側で支持する支持基盤を設けるとともに、網状シートとして、支持基盤の外周縁側に組付可能として、尿吸収シートの外周縁を支持基盤に取付可能な枠部、を外周縁に設けて、構成してもよい。
【００１７】
このような構成の犬用トイレでは、既述の構成の犬用トイレと相違して、枠体と網状シートとが一体化された構成となって、尿吸収シートの取り替えが、網状シートを外すだけで行え、簡便に行える。
【００１８】
また、網状シートが、外周縁に、尿吸収シートの外周縁を保持可能な枠部を備えて構成されていれば、網状シートの下面側に、尿吸収シートを取り付けるだけで、支持基盤を設けずに、犬用トイレを簡便に形成できる。なお、通常、尿吸収シートは、上面側の尿透過フィルム、下面側の尿を透過しない非透過フィルム、及び、尿透過フィルムと非透過フィルムとの間に配置された高分子ポリマーからなる綿状の尿吸収材、の三層構造としており、支持基盤を設けなくとも、尿が下方側へ流れ出すことはない。
【発明を実施するための最良の形態】
【００１９】
以下、本発明の一実施形態を図面に基づいて説明すると、第１実施形態の犬用トイレＤ１は、図１・２・７に示すように、尿吸収シート１、支持基盤６、枠体１２、及び、網状シート２０、から構成されている。
【００２０】
尿吸収シート１は、公知のものであり、可撓性を有して、上面側の尿透過フィルム２、下面側の尿を透過しない非透過フィルム４、及び、尿透過フィルム２と非透過フィルム４との間に配置された高分子ポリマーからなる綿状の尿吸収材３、の三層構造としている。
【００２１】
支持基盤６は、図１・２・４〜７に示すように、尿吸収シート１を上面に載置可能な長方形板状の底板部７と、底板部７の外周縁に配置される外周縁部８と、を備えて構成され、ポリプロピレン、ポリエチレン、ポリアミド等の硬質合成樹脂製としている。
【００２２】
外周縁部８は、底板部７の外周縁から上方へ延びつつ外方へ延びる傾斜部８ａと、傾斜部８ａの外周縁から略水平方向の外方へ延びる上壁部８ｂと、上壁部８ｂの外周縁から下方に延びる外壁部８ｃと、を備えて構成されている。そして、上壁部８ｂと外壁部８ｃとには、上壁部８ｂと外壁部８ｃとの交差部位付近から下方と内方とに凹むように形成される把持用凹部９が、左右両縁の中央付近に、配設されている。上壁部８ｂと外壁部８ｃとにおける各把持用凹部９の前後の近傍部位にも、上壁部８ｂと外壁部８ｃとの交差部位付近から下方と内方とに凹んで、枠体１２を取り付ける取付用凹部１０が、配設されている。取付用凹部１０には、凹部１０の前後の側壁部１０ａ・１０ａ間を連結するように、ピン１０ｂが配設されている。ピン１０ｂには、枠体１２の後述する挟持片１７・１８が、挟持されて、枠体１２が、支持基盤６に取り付けられることとなる。
【００２３】
把持用凹部９は、凹部９内に手を入れて、枠体１２の後述する外壁部１５や上壁部１４の下面側に手を当てて、トイレＤ１を持ち運ぶ際に使用したり、あるいは、凹部９の底壁部９ａを下方側に押えた状態で、枠体１２を上方に押し上げて、ピン１０ｂから挟持片１７・１８を外して、枠体１２を支持基盤６から取り外す際に使用することとなる。
【００２４】
また、凹部９・１０の設けられていない外壁部８ｃには、上端から上下方向の中間部位まで、内方に凹んだ凹溝８ｄが形成されている。
【００２５】
さらに、支持基盤６の下面側の所定部位には、図６に示すように、滑り止めのためのゴム材６ｂを嵌める略円筒状のボス部６ａが、下方側へ突設されている。
【００２６】
枠体１２は、図１・２・４・５・７に示すように、支持基板６と同様に、ポリプロピレン、ポリエチレン、ポリアミド等の硬質合成樹脂製として、支持基盤６の外周縁部８の上方を覆うような断面を略逆Ｖ字形状とした四角枠状に形成されている。枠体１２は、内周縁に、支持基盤６の傾斜部８ａと略平行となる傾斜部１３と、傾斜部１３の外縁側から略水平方向に延びる上壁部１４と、上壁部１４の外周縁から下方に延びる外壁部１５と、を備えて構成されている。
【００２７】
傾斜部１３の内周縁の下面には、下方へ延びて、尿吸収シート１の外周縁１ａを押え可能な押え板部１３ａが、突設されている。押え板部１３ａと傾斜部１３の内縁１３ｃとの間には、網状シート２０における格子２１の外縁２１ｄが、嵌合されて、支持基盤６と枠体１２との間で、網状シート２０が固定されるように、構成されている。押え板部１３ａの内周面側には、格子２１の外縁２１ｄの係止溝２１ｅに嵌合する係止突起１３ｂが、形成されている。
【００２８】
上壁部１４は、支持基盤６の外周縁部８における上壁部８ｂの上方を覆うように形成され、外壁部１５は、支持基盤６の外周縁部８における外壁部８ｃの凹溝８ｄに嵌合可能に、形成されている。上壁部１４と外壁部１５とにおける取付用凹部１０の部位には、ピン１０ｂの上面側に当接する押え片１６と、ピン１０ｂの外周面の対称的な部位相互を、下面側まで挟持する挟持片１７・１８と、が、内方へ突設されている。挟持片１８は、上壁部１４と外壁部１５との両壁部１４・１５と一体化されて形成され、挟持片１７は、上壁部１４の下面側から下方へ突設するように配設され、上方からピン１０ｂに嵌める際、挟持片１７・１８相互が、ばね弾性的にピン１０ｂから離れるように撓んだ後に、復元され、ピン１０ｂの下面側を係止することとなり、挟持片１７・１８がピン１０ｂに係止されれば、枠体１２が、支持基盤６に取り付けられることとなる。
【００２９】
網状シート２０は、図３・７に示すように、左右方向と前後方向とに棒部分２１ａとしての横棒２１ｂと縦棒２１ｃとを配設させた格子２１を、設け、棒部分２１ａ間に、上方から見て正方形の開口２２を設けた網目状として、構成されている。格子２１の外縁２１ｄは、枠体１２の内縁１３ｃと押え板部１３ａとの間に嵌合可能な四角枠状に形成されて、その外周縁には、枠体１２の係止突起１３ｂを挿入させる係止溝２１ｃが、設けられている。この網状シート２０は、ポリプロピレン、ポリエチレン、ポリアミド等の硬質合成樹脂から圧縮成形や射出成形により一体的に形成された一体成形品としており、実施形態の場合には、ポリプロピレンから形成されている。ちなみに、硬質のポリプロピレンとしては、通常の硬質の合成樹脂と同様に、硬度（JISK7202Ｒスケール）で、８５〜１２０程度、曲げ弾性率（JISK7203）で、１０００〜４５００ＭＰａ程度のものであり、ホリプロピレンの他に、ポリアミド、ポリエチレン等が使用できる。
【００３０】
そして、この網状シート２０は、網状シート２０の上面側からの引っ掻き時における犬の爪の格子２１への引っ掛りと犬の爪による尿吸収シート１の破れとを防止可能で、かつ、尿の通過を確保できるように、網目２２を形成する格子２１の厚さ寸法Ｔを、１〜８ｍｍ、望ましくは、３〜６ｍｍ、格子２１を構成する横棒２１ｂや縦棒２１ｃの棒部分２１ａの幅寸法Ｂを、１〜４ｍｍ、望ましくは、２〜３ｍｍ、及び、格子２１の棒部分２１ａ・２１ａ間の開口２２における一辺の長さ寸法Ｌを、５〜２０ｍｍ、望ましくは、６〜１５ｍｍ、の範囲内に設定している。実施形態の場合、厚さ寸法Ｔは、３．５ｍｍ、幅寸法Ｂは、２ｍｍ、長さ寸法Ｌは、１０ｍｍとしている。
【００３１】
さらに、格子２１を構成する横棒２１ｂや縦棒２１ｃの棒部分２１ａの断面における上面側は、上方側へ凸状となる曲面状としている。実施形態の場合、断面形状を略逆滴形状としている。
【００３２】
第１実施形態の犬用トイレＤ１では、外縁２１ｄを嵌合させて網状シート２０を保持させた枠体１２を、取り外した状態で、支持基盤６の底板部７上に、尿吸収シート１を載せるとともに、尿吸収シート１の上に、枠体１２とともに、網状シート２０を載せつつ、枠体１２を支持基盤２１の外周縁部８に被せ、挟持片１７・１８でピン１０ｂを挟持させれば、枠体１２を支持基盤２１に取り付けることができて、尿吸収シート１や網状シート２０をずれることなく支持基盤６上に配置させることができることから、使用可能となる。
【００３３】
その後、犬が使用して、尿吸収シート１の交換や網状シート２０の洗浄が必要となれば、把持用凹部９を利用して、枠体１２を支持基盤２１から取り外せば、尿吸収シート１の交換を行うことができ、さらに、枠体１２から網状シート２０を取り外せば、網状シート２０の洗浄も行うことができる。
【００３４】
そして、第１実施形態の犬用トイレＤ１では、尿吸収シート１の上面側を覆う網状シート２０が、網状シート２０の上面側からの引っ掻き時における犬の爪の格子２１への引っ掛りと犬の爪による尿吸収シート１の破れとを防止可能で、かつ、尿の通過を確保できるように、網目２２を形成する格子２１の厚さ寸法Ｔ、格子２１の棒部分２１ａの幅寸法Ｂ、及び、格子２１の棒部分２１ａ・２１ａ間の開口寸法Ｌが、設定されていることから、犬が悪戯によって、網状シート２０を引っ掻いても、尿吸収シート１の破れや犬の爪自体が傷付けられることを防止できる。
【００３５】
さらに、網状シート２０が、硬質合成樹脂製の一体成形品としていることから、犬が網状シート２０を引っ掻いても、格子２１の横棒２１ｂや縦棒２１ｃが伸びず、かつ、格子２１の横棒２１ｂや縦棒２１ｃの断面の上面側を、上方側へ凸状とした曲面状としており、犬の爪が滑って引っ掛かり難く、爪自体が傷付けられることも防止できる。勿論、格子２１の横棒２１ｂや縦棒２１ｃの断面の上面側が、上方側へ凸状となる曲面状としていることから、尿を円滑に流下させることもできる。
【００３６】
そして、具体的には、網状シート２０の網目２２を形成する格子２１の厚さ寸法Ｔを、１〜８ｍｍの範囲内の３．５ｍｍ、格子２１の棒部分２１ａの幅寸法Ｂを、１〜４ｍｍの範囲内の２ｍｍ、格子２１の棒部分２１ａ・２１ａ間の開口２２における一辺の長さ寸法Ｌを、５〜２０ｍｍの範囲内の１０ｍｍに、設定しており、網状シート２０の上面側からの引っ掻き時における犬の爪の格子２１への引っ掛りと犬の爪による尿吸収シート１の破れとを防止可能で、かつ、尿の通過を確保できる。
【００３７】
なお、網状シート２０の網目２２を形成する格子２１の厚さ寸法Ｔが、１ｍｍ未満であれば、格子２１の棒部分２１ａ・２１ａ間の開口２２が大きめの場合に、小型犬の爪の先端が、尿吸収シート１に接触してずれ移動可能となることから、尿吸収シート１を破ってしまう虞れを生じ、かつ、尿吸収シート１で吸収した尿が、滲み出ていれば、網状シート２０上に座っている犬に、尿が付着する虞れが生ずる。また、格子２１の厚さ寸法Ｔが、８ｍｍを越えれば、格子２１の棒部分２１ａ・２１ａ間の開口２２が小さ目の場合、犬の糞が格子２１の棒部分２１ａ・２１ａ間に入り込んだ際、簡単に取り除けない虞れを生ずる。
【００３８】
また、格子２１の棒部分２１ａの幅寸法Ｂが、１ｍｍ未満であれば、格子２１の棒部分２１ａ・２１ａ間の開口２２が大きめの場合、格子２１の棒２１ｂ・２１ｃが切断されてしまう虞れが生ずる。また、格子２１の棒部分２１ａの幅寸法Ｂが、４ｍｍを越えれば、格子２１の開口２２が小さ目の場合、尿の通過が円滑に行われない。
【００３９】
さらに、格子２１の棒部分２１ａ・２１ａ間の開口２２における一辺の長さ寸法Ｌが、５ｍｍ未満であれば、尿の通過が円滑に行われ難く、かつ、格子２１の厚さ寸法Ｔが厚ければ、犬の糞が格子２１の棒部分２１ａ・２１ａ間に入り込んだ際、簡単に取り除けない虞れを生ずる。また、格子２１の開口２２における一辺の長さ寸法Ｌが、２０ｍｍを越えれば、格子２１の厚さ寸法Ｔが薄い場合、小型犬の爪の先端が、尿吸収シートに接触してずれ移動可能となることから、尿吸収シート１を破ってしまう虞れが生じ、かつ、尿吸収シート１で吸収した尿が、滲み出ていれば、網状シート２０上に座っている犬に、尿が付着する虞れが生ずる。
【００４０】
さらに、第１実施形態の犬用トイレＤ１では、尿吸収シート１を上面側で支持する支持基盤６と、支持基盤６の外周縁側に組付可能として、尿吸収シート１と網状シート２０との外周縁を支持基盤６に取付可能な枠体１２と、を設けて構成されており、枠体１２を支持基盤６から外せば、尿吸収シート１と網状シート２０とを、支持基盤６上から取り出すことができて、容易に、尿吸収シート１の取り替えと網状シート２０の洗浄とを行うことができる。
【００４１】
なお、この犬用トイレＤ１では、網状シート２０を使用しない場合、単に、網状シート２０を外しおいても、枠体１２の押え板部１３ａが、尿吸収シート１を押えて、支持基盤６の底板部７上に、保持させておくことができることから、支障なく、使用することができる。
【００４２】
ちなみに、このように、網状シートを取り付けて使用したり、あるいは、網状シートを取り外して使用できる構造としては、図８に示すような構造としておいてもよい。この網状シート２０は、格子２１の外縁２１ｄが、枠体１２の傾斜部１３の押え板部１３ａや内縁１３ｃが嵌合するように、波状の凹凸部２１ｆを設けて構成され、さらに、尿吸収シート１の外周縁を屈曲させて、凹凸部２１ｆと底板部７の上面とで、挟持できるように、底板部７の上面側に、凹溝７ａと突条７ｂとが設けられている。この構造でも、網状シート２０を使用しない場合には、凹溝７ａや突条７ｂで屈曲された尿吸収シート１の外周縁１ａが、押え板部１３ａに押えられることから、尿吸収シート１のずれが防止されて、支障なく使用することができる。
【００４３】
また、犬用トイレとしては、図９〜１２に示す第２実施形態のように、構成してもよい。この第２実施形態の犬用トイレＤ２は、第１実施形態の枠体１２の部位が、網状シート２０Ａ自体に一体的に形成されて、枠体１２が省略されたものである。
【００４４】
具体的には、網状シート２０Ａが、網状シート本体２３と枠部２４とを備えたポリプロピン等の硬質合成樹脂からなる一体成形品として、構成されている。網状シート本体２３は、第１実施形態の網状シート２０の横棒２１ｂと縦棒２１ｃとからなる棒部分２１ａの格子２１の部位であり、枠部２４は、第１実施形態の網状シート２０における格子２１の外縁２１ｄを、第１実施形態の枠体１２のように、支持基盤６Ａの外周縁部８Ａと、連結可能に構成したものである。
【００４５】
枠部２４は、網状シート本体２３の外周縁から斜め上方向に延びる傾斜部２５と、傾斜部２５の上端から水平方向に延びる上壁部２６と、上壁部２６の外周縁から下方に延びる外壁部２７と、を備えて構成されている。傾斜部２５付近の下面には、網状シート本体２３の外周を２重で覆うように、支持基盤６Ａ側に突出する２つの突条２５ａ・２５ｂが、突設され、また、上壁部２６の下面には、支持基盤６Ａの取付用凹部１０の部位に設けられたピン１０ｂを挟持する挟持片２６ａ・２６ｂが、突設されている。これらの挟持片２６ａ・２６ｂは、第１実施形態の挟持片１７・１８と同様に、上方からピン１０ｂに嵌める際、挟持片２６ａ・２６ｂ相互が、ばね弾性的にピン１０ｂから離れるように撓んだ後に、復元され、ピン１０ｂの下面側を係止することとなり、挟持片２６ａ・２６ｂがピン１０ｂに係止されれば、網状シート２０Ａが、支持基盤６Ａに取り付けられることとなる。
【００４６】
そして、支持基盤６Ａは、第１実施形態と同様に、硬質合成樹脂から形成されて、尿吸収シート１を上面側で支持する長方形板状の底板部７Ａと、底板部７Ａの外周縁に配設されている外周縁部８Ａと、を備えて構成され、外周縁部８Ａには、把持用凹部９とピン１０ｂを設けた取付用凹部１０とが設けられている。底板部７Ａには、網状シート２０Ａの突条２５ａ・２５ｂ間に挿入される突条７ｃが、形成され、網状シート２０Ａが支持基盤６Ａに取り付けられた際、尿吸収シート１の外周縁１ａが、突条７ｃ・２５ａ・２５ｂ間で湾曲するとともに、挟持されるように突条２５ａ・２５ｂで押えられて、底板部７Ａ上でのずれを防止されることとなる。
【００４７】
この第２実施形態の犬用トイレＤ２では、尿吸収シート１を上面側で支持する支持基盤６Ａを設けるとともに、網状シート２０Ａとして、支持基盤６Ａの外周縁側に組付可能とし、尿吸収シート１の外周縁１ａを支持基盤６Ａの底板部７Ａ上に押えて取付可能な枠部２４、を外周縁に設けて、構成しており、第１実施形態の犬用トイレＤ１と相違して、尿吸収シート１の取り替えが、網状シート２０Ａを外すだけで行え、簡便に行える。
【００４８】
なお、網状シート２０Ａは、網状シート本体２３の下面に突条２５ａが設けられて、突条２５ａ付近の尿吸収シート１の上方に、若干の隙間が開くものの、網状シート本体２３の外周縁から離れた中央付近では、網状シート本体２３は、自重や使用する犬の重量で撓み、その下面を尿吸収シート１の上面と接触させることとなる。
【００４９】
さらに、この網状シート２０Ａでは、左右の一方側の把持用凹部９から、枠部２４を持ち上げれば、図１１に示すように、持ち上げた側と反対側のピン１０ｂを中心として、網状シート２０Ａを回転させ、支持基盤６Ａ上に持ち上げることができ、容易に、尿吸収シート１の交換を行える。
【００５０】
さらにまた、図１３に示す第３実施形態の犬用トイレＤ３のように構成してもよい。この犬用トイレＤ３は、尿吸収シート１と網状シート２０Ｂとの２部品から構成されるものである。第３実施形態の網状シート２０Ｂは、第１実施形態の網状シート２０における棒部分２１ａの部位を網状シート本体２８として、網状シート本体２８の外周縁に、本体２８と一体成形された四角枠状の枠部２９を設けて構成されている。
【００５１】
この枠部２９は、網状シート本体２８の外周縁から斜め上方向に延びる傾斜部３０と、傾斜部３０の上端から水平方向に延びる上壁部３１と、上壁部３１の外周縁から下方に延びる外壁部３２と、を備えて構成されている。傾斜部３０付近と上壁部３１の下面には、尿吸収シート１に差し込んで、尿吸収シート１を係止可能な複数の係止突起３０ａ・３１ａが、突設されている。外壁部３２の下端は、突起３０ａ・３１ａより、若干、下方に突出している。
【００５２】
この第３実施形態の犬用トイレＤ３では、網状シート２０Ｂ自体が、尿吸収シート１の外周縁１ａを保持可能な枠部２９を備えて構成されており、網状シート２０Ｂの下面側に、尿吸収シート１を取り付けるだけで、支持基盤を設けずに、犬用トイレＤ３を簡便に形成できる。
【００５３】
なお、尿吸収シート１は、上面側の尿透過フィルム２、下面側の尿を透過しない非透過フィルム４、及び、尿透過フィルム２と非透過フィルム４との間に配置された高分子ポリマーからなる綿状の尿吸収材３、の三層構造としており、支持基盤を設けなくとも、尿が下方側へ流れ出すことはなく、第３実施形態のように、尿吸収シート１と網状シート２０Ｂとの２部品から犬用トイレＤ３を構成してもよい。
【００５４】
ちなみに、枠部２９のシート１の保持が不十分の場合には、適宜、粘着テープ等の接着剤を併用して、枠部２９に尿吸収シート１を保持させてもよい。
【００５５】
また、各実施形態の網状シート２０・２０Ａ・２０Ｂの格子２１の棒部分２１ａの断面形状では、逆滴形状の上下方向に長い略楕円形状とした場合を示したが、尿を流下させ易く、かつ、犬の爪が引っ掛かり難ければ、上面側が、上方へ凸状の曲面状とし、上面側から下面側に滑らかに連なるようにして、図１４に示すような断面を円形状としたり、図１５に示すように、断面を三角形状にしたり、さらに、図１６に示すように、断面を半円形状としてもよい。
【図面の簡単な説明】
【００５６】
【図１】本発明に係る第１実施形態の犬用トイレの斜視図である。
【図２】第１実施形態の犬用トイレの概略部分縦断面図であり、図１のII−II部位に対応する。
【図３】第１実施形態の犬用トイレに使用する網状シートの部分拡大縦断面図である。
【図４】第１実施形態の犬用トイレの概略部分縦断面図であり、図１のIV−IV部位に対応する。
【図５】第１実施形態の犬用トイレの概略部分縦断面図であり、図１のＶ−Ｖ部位に対応する。
【図６】第１実施形態の支持基盤の概略部分縦断面図である。
【図７】第１実施形態の犬用トイレの分解部分斜視図である。
【図８】第１実施形態の変形例を示す部分縦断面図である。
【図９】第２実施形態の犬用トイレの斜視図である。
【図１０】第２実施形態の犬用トイレの概略縦断面図であり、図９のＸ−Ｘ部位に対応する。
【図１１】第２実施形態の犬用トイレの網状シートを開ける状態を示す概略部分縦断面図である。
【図１２】第２実施形態の犬用トイレの分解部分斜視図である。
【図１３】第３実施形態の犬用トイレの概略部分縦断面図である。
【図１４】網状シートの変形例を示す部分拡大縦断面図である。
【図１５】網状シートの他の変形例を示す部分拡大縦断面図である。
【図１６】網状シートのさらに他の変形例を示す部分拡大縦断面図である。
【符号の説明】
【００５７】
１…尿吸収シート、
６・６Ａ…支持基盤、
１２…枠体、
２０・２０Ａ・２０Ｂ…網状シート、
２１…格子、
２１ａ…棒部分、
２１ｂ…横棒、
２１ｃ…縦棒、
２２…開口・網目、
２３・２８…網状シート本体、
２４・２９…枠部、
Ｔ…厚さ寸法、
Ｂ…幅寸法、
Ｌ…長さ寸法、
Ｄ１・Ｄ２・Ｄ３…犬用シート。
【図１】
2005287367.tif 000003
【図２】
2005287367.tif 000004
【図３】
2005287367.tif 000005
【図４】
2005287367.tif 000006
【図５】
2005287367.tif 000007
【図６】
2005287367.tif 000008
【図７】
2005287367.tif 000009
【図８】
2005287367.tif 000010
【図９】
2005287367.tif 000011
【図１０】
2005287367.tif 000012
【図１１】
2005287367.tif 000013
【図１２】
2005287367.tif 000014
【図１３】
2005287367.tif 000015
【図１４】
2005287367.tif 000016
【図１５】
2005287367.tif 000017
【図１６】
2005287367.tif 000018